(57)【要約】【課題】面の取付け性を改善することができる新規な面乳革を提供する。【解決手段】面乳革１は、剣道の面２０を付けるときに用いるものであって、面乳革本体２の片端に、面紐３０の途中を通して折り返しに用いるための環状部３が設けられ、上記面乳革本体２には面紐３０を結付けるための第１の長孔４と環状部３を通して面金２１に面乳革本体２を固定するための第２の長孔５とが設けられている。【選択図】図４
2008035939.tif 000002
【特許請求の範囲】
【請求項１】
剣道の面を付けるときに用いる面乳革であって、
面乳革本体の両端または片端に、面紐の途中を通し折り返しに用いるための環状部が設けられていることを特徴とする面乳革。
【請求項２】
請求項１に記載の面乳革において、
前記面乳革本体の片端に前記環状部が設けられ、上記面乳革本体に面紐を結付けるための第１の長孔と前記環状部を通して面金に上記面乳革本体を固定するための第２の長孔とが設けられていることを特徴とする面乳革。
【請求項３】
請求項１に記載の面乳革において、
前記面乳革本体の両端に前記環状部が設けられ、上記面乳革本体に面紐を共に結付けるための一対の第３の長孔と前記環状部を通して面金に上記面乳革本体を固定するための第４の長孔とが設けられていることを特徴とする面乳革。
【発明の詳細な説明】
【技術分野】
【０００１】
本発明は、剣道の面を頭部に付けるときに、面紐とともに用いられる面乳革に関する。
【背景技術】
【０００２】
上記面乳革としては、図１０に示すように長い面乳革１００と短い面乳革１１０の２種類がある。長い面乳革１００は、図１１に示すように面２０の上部、例えば縦方向の面金２２の上部に取付けて用いられるもので、図１０（ａ）に示すように長手方向に３つの長孔１０１、１０２、１０３が設けられた構成である（非特許文献１参照）。中央部の長孔１０２は、これに面乳革の片端部、この図示例では左側の端部１０４を通して輪を作るとともにその輪を作るときに輪の中に前記面金２２が入るように操作し、面乳革１００を面金２２に取付けるために用いられる。両端側の長孔１０１、１０３は、図１１に示す面紐３０の端を結付けるために用いられる。
【０００３】
そして、両端側の長孔１０１、１０３に端を結付けた２つの面紐３０は、例えば頭部の後側から前側に導いて上記縦方向の面金２２の上部に引っ掛けて折り返すことで面２０の上部を固定し、その後頭部に導いて後頭部と面２０の下方に設けられた、突き喉を保護するための垂れている突き垂れ部（アゴとも言う）２３とを通るように例えば１回巻き付けることで面２０の下部を固定し、その後両方の面紐３０を後頭部に導いて括り付けることで、面２０が頭部に取付けられる。
【０００４】
一方、短い面乳革１１０は、図１０（ｂ）に示すように長手方向の両端部のそれぞれに長孔１１１、１１２が設けられた構成であり、２本１組で用いられる。この短い面乳革１１０は、図１１に示すように、面乳革１１０の長手方向中央部を面２０の下部、例えば下から４番目の面金２１に引っ掛けて両端部を前側で揃えて重ね、揃った２つの長孔１１１、１１２に面紐３０を結付けることで面２０に保持される。これを左右について２本の面乳革１１０を固定した状態が、図１１に示されている。
【０００５】
そして、各面乳革１１０に結付けた面紐３０に関しても、面２０の上部と下部とを固定するように巡らすため、長い面乳革１００を使用する場合と同様に、頭部の後側から前側に導いて面金２２の上部に引っ掛けて折り返すという面上部を固定するための作業を要する。
【０００６】
なお、短い一対の面乳革１１０を面２０の上部の両側部に取付けて使用される場合もある。
【非特許文献１】早川繊維工業株式会社  剣道カタログ、Ｐ５８
【発明の開示】
【発明が解決しようとする課題】
【０００７】
ところで、長短どちらの面乳革も、上述したように面上部の固定のために、面紐を後頭部から前側に導いて面の上部に引っ掛けて折り返す作業を必要とするが、その作業の際に面紐が頭部の上方へ抜け外れることが起き易く、面の取付けが困難であった。そこで、従来から面を容易に取付けることができる面乳革の開発が期待されていた。
【０００８】
本発明は、このような従来技術の課題を解決するためになされたものであり、面の取付け性を改善することができる新規な面乳革を提供することを目的とする。
【課題を解決するための手段】
【０００９】
本発明の請求項１に係る面乳革は、剣道の面を付けるときに用いる面乳革であって、面乳革本体の両端または片端に、面紐の途中を通し折り返しに用いるための環状部が設けられていることを特徴とする。
【００１０】
本発明の請求項２に係る面乳革は、請求項１に記載の面乳革において、前記面乳革本体の片端に前記環状部が設けられ、上記面乳革本体に面紐を結付けるための第１の長孔と前記環状部を通して面金に上記面乳革本体を固定するための第２の長孔とが設けられていることを特徴とする。
【００１１】
本発明の請求項３に係る面乳革は、請求項１に記載の面乳革において、前記面乳革本体の両端に前記環状部が設けられ、上記面乳革本体に面紐を共に結付けるための一対の第３の長孔と前記環状部を通して面金に上記面乳革本体を固定するための第４の長孔とが設けられていることを特徴とする。
【発明の効果】
【００１２】
本発明の面乳革にあっては、面乳革本体の両端または片端に設けられた環状部の内側に、面紐の途中を通して折り返すように構成されているので、面紐の折り返しに面上部を利用することに代えて、面乳革本体に設けた環状部を利用することができる。このため、例えば図６（ａ）に示すように右側の従来の面乳革１００に端部を結付けた面紐３０の結付け部から後頭部を経て面上部までの離隔距離（破線の長さ）よりも、同（ｂ）に示すように右側の本発明の面乳革１に端部を結付けた面紐３０の結付け部から後頭部を経て左側の本発明の面乳革１の環状部３までの離隔距離（破線の長さ）が短くなる。よって、前者の離隔距離が長い場合には、頭部上方への面紐の抜け外れが起こり易かったが、後者の本発明による場合には、離隔距離が短いので、頭部上方への面紐の抜け外れが起こり難くなり、面の取付け性が大幅に向上する。
【００１３】
本発明の請求項２に係る面乳革による場合には、面乳革本体の片端に環状部が設けられた面乳革の一対のものを、第２の長孔に環状部を通すことで形成される輪の内側に面上部の面金を通すようにすることで、その面上部の左右位置に一対の面乳革が固定される。その固定された一対の面乳革の各第１の長孔のそれぞれに面紐を結付け、各面紐を結付けた面乳革とは反対側の面乳革の環状部にそれぞれの面紐を通して折り返すことで面の上部を固定し、両方の面紐を後頭部から前側に導いて面の下部の突き垂れ部（アゴ）と後頭部とを通るように１回または２回以上巻き付けることで面の下部を固定し、その後両方の面紐を再度後頭部に導いて括り付けることで、面の頭部への取付けが行われる。
【００１４】
本発明の請求項３に係る面乳革による場合には、面乳革本体の両端に環状部が設けられた面乳革を、第４の長孔に一方の環状部を通すことで形成される輪の内側に面上部の面金を通すようにすることで、その面上部の中央位置に面乳革が固定される。その固定された面乳革の各第３の長孔のそれぞれに面紐を結付け、各面紐を結付けた第３の長孔とは反対側に位置する環状部にそれぞれの面紐を通して折り返すことで面の上部を固定し、両方の面紐を後頭部から前側に導いて面の下部の突き垂れ部（アゴ）と後頭部とを通るように１回または２回以上巻き付けることで面の下部を固定し、その後両方の面紐を再度後頭部に導いて括り付けることで、面の頭部への取付けが行われる。
【発明を実施するための最良の形態】
【００１５】
以下に、本発明を具体的に説明する。
【００１６】
（第１実施形態）
図１（ａ）は第１実施形態に係る面乳革を示す正面図で、同（ｂ）は平面図である。
【００１７】
この面乳革１は、剣道の面を付けるときに一対で用いられ、面乳革本体２の片端に環状部３が設けられた構成であり、全体が合成皮革または天然皮革などにより製造されている。上記環状部３は、面紐の途中を通して折り返すために用いられる。上記面乳革本体２には、面紐を結付けるための第１の長孔４と前記環状部３を通して面金に面乳革本体２を固定するための第２の長孔５とが設けられている。第２の長孔５は、環状部３から遠い方のものである。
【００１８】
この面乳革１による場合には、図２および図３に示すように、第２の長孔５に環状部３を通すことで形成される輪６の内側に、図４に示すように、面２０の上部、例えば一番上の横方向の面金２１を通すようにすることでその面金２１の左右のうちの片側（左側）に固定される。そして、もう片側（右側）に、同様の面乳革１を逆方向にして固定する。これにより、面金２１の左右位置に一対の面乳革１が固定される。
【００１９】
その固定された一対の面乳革１の各第１の長孔４にそれぞれ面紐３０を結付ける（図５参照）。ここで、図４に示すように、面２０の左側に固定した面乳革１に対して結付ける面紐を３１とし、逆に面２０の右側に固定した面乳革１に対して結付ける面紐を３２とする。左側の面乳革１に結付けた面紐３１（３１−１に示す）は、後頭部に導かれた後に右側の面乳革１の環状部３を通るように導かれて折り返され（３１−２、３１−３に示す）、右側の面乳革１に結付けた面紐３２（３２−１に示す）は、後頭部に導かれた後に左側の面乳革１の環状部３を通るように導かれて折り返される（３２−２、３２−３に示す）。これにより面２０の上部が固定される。その後、面紐３１は、後頭部から前側に導かれて面２０の下部（アゴ）２３と後頭部とを通るように例えば１回巻き付けられ（３１−４に示す）、一方の面紐３２は、後頭部から前側に導かれて面２０の下部の突き垂れ部（アゴ）２３と後頭部とを通るように例えば１回巻き付けられる（３２−４に示す）。これにより面２０の下部が固定される。その後、両方の面紐３１、３２を再度後頭部に導いて括り付けることで、面２０の頭部への取付けが行われる。
【００２０】
したがって、本実施形態の面乳革１による場合には、面乳革本体２の片端に設けられた環状部３の内側に、面紐３０の途中を通して折り返すように構成されているので、面紐３０の折り返しに面２０の上部を利用することに代えて、面乳革本体２に設けた環状部３を利用することができる。このため、図６（ａ）に示すように右側の従来の面乳革１００に端部を結付けた面紐３０の結付け部から後頭部を経て面２０の上部までの離隔距離（破線の長さ）よりも、図６（ｂ）に示すように右側の本実施形態の面乳革１に結付けた面紐３０の結付け部から後頭部を経て左側の本実施形態における面乳革１の環状部３までの離隔距離（破線の長さ）が短くなる。よって、前者の離隔距離（破線の長さ）が長い場合には、頭部上方への面紐の抜け外れが起こり易かったが、後者の本実施形態による場合には、離隔距離（破線の長さ）が短いので、頭部上方への面紐３０の抜け外れが起こり難くなり、面の取付け性が大幅に向上する。
【００２１】
また、本実施形態による場合には、面２０に面乳革１を固定したままにすることができ、更にその面乳革１に面紐３０を結付けたままにすること、およびその面紐３０を環状部３に通したままにすることも可能となり、面の取付け性を更に大幅に向上させ得る。更に、従来のように面紐を面金に引っ掛ける場合には、面金が金属で製造されているために面紐が面金から簡単に抜けていたが、本実施形態では面紐を引っ掛ける環状部が天然または合成皮革から製造されているので、面紐が環状部から容易に抜けることがなく、取り扱い性に優れる。
【００２２】
（第２実施形態）
図７（ａ）は第２実施形態に係る面乳革を示す正面図であり、同（ｂ）はその平面図である。
【００２３】
この面乳革１１は、剣道の面を付けるときに用いられ、面乳革本体１２の両端に環状部１３が設けられていて、全体が合成皮革または天然皮革などにより製造されている。環状部１３は、面紐の途中を通して折り返すために用いられる。
【００２４】
上記面乳革本体１２には、面紐を共に結付けるための一対の第３の長孔１４と、前記環状部１３を通して面金に上記面乳革本体１２を固定するための第４の長孔１５とが設けられている。第３の長孔１４は環状部１３に接近した位置に設けられ、第４の長孔１５は面乳革本体１２の中心から少し片方に寄った位置に設けられている。第４の長孔１５の位置は、図８に示すように、第４の長孔１５から遠い方の環状部１３を第４の長孔１５に通した場合に、これにより形成される輪１６の部分から両方の環状部１３までの距離がほぼ等しくなるように設定している。
【００２５】
この第２実施形態の面乳革１１による場合には、図９に示すように上記輪１６の内側に、面２０の縦方向の面金２２の上部を通すようにすることで、その面２０の上部の中央位置に面乳革１１が固定される。その固定された面乳革１１の各第３の長孔１４のそれぞれに面紐３０を結付ける。ここで、図９に示すように、面２０に固定した面乳革１１の左側の長孔１４に対して結付ける面紐を３１とし、逆に右側の長孔１４に対して結付ける面紐を３２とする。
【００２６】
左側の長孔１４に結付けた面紐３１（３１−１に示す）は、後頭部に導かれた後に右側の面乳革１の環状部３を通るように導かれて折り返され（３１−２、３１−３に示す）、右側の面乳革１に結付けた面紐３２（３２−１に示す）は、後頭部に導かれた後に左側の面乳革１の環状部３を通るように導かれて折り返される（３２−２、３２−３に示す）。これにより面２０の上部が固定される。その後、面紐３１は、後頭部から前側に導かれて面２０の下部（アゴ）２３と後頭部とを通るように例えば１回巻き付けられ（３１−４に示す）、一方の面紐３２は、後頭部から前側に導かれて面２０の下部の突き垂れ部（アゴ）２３と後頭部とを通るように例えば１回巻き付けられる（３２−４に示す）。これにより面２０の下部が固定される。その後、両方の面紐３１、３２を再度後頭部に導いて括り付けることで、面２０の頭部への取付けが行われる。
【００２７】
したがって、この第２実施形態の面乳革１１による場合にも、面乳革本体１２の両端に設けられた環状部１３の内側に、面紐３０の途中を通して折り返すように構成されているので、面紐３０の折り返しに面２０の上部を利用することに代えて、面乳革本体１２に設けた環状部１３を利用することができる。このため、例えば右側の面乳革１１に端部を結付けた面紐３０の結付け部から後頭部を経て面上部までの離隔距離（図６（ａ）における破線の長さにほぼ相当）よりも、前記面紐３０の結付け部から後頭部を経て左側の面乳革１１の環状部１３までの離隔距離（図６（ｂ）における破線の長さにほぼ相当）が短くなる。よって、前者の離隔距離が長い場合には、頭部上方への面紐の抜け外れが起こり易かったが、後者の本実施形態による場合には、離隔距離が短いので、頭部上方への面紐３０の抜け外れが起こり難くなり、面の取付け性が大幅に向上する。
【００２８】
また、第２実施形態による場合には、面２０に面乳革１１を固定したままにすることができ、更にその面乳革１１に面紐３０を結付けたままにすること、およびその面紐３０を環状部１３に通したままにすることも可能となり、面の取付け性を更に大幅に向上させ得る。更に、従来のように面紐を面金に引っ掛ける場合には、面金が金属で製造されているために面紐が面金から簡単に抜けていたが、第２実施形態では面紐を引っ掛ける環状部が天然または合成皮革から製造されているので、面紐が環状部から容易に抜けることがなく、取り扱い性に優れる。
【００２９】
なお、上述した第１、第２実施形態では面２０の下側に設けた突き垂れ部（アゴ）２３を通るように面紐３０を通す回数を１回としているが、本発明はこれに限らず、２回以上としてもよい。
【図面の簡単な説明】
【００３０】
【図１】（ａ）は第１実施形態に係る面乳革を示す正面図で、（ｂ）は平面図である。
【図２】図１の面乳革の取り扱いの説明図である。
【図３】図１の面乳革の取り扱いの説明図である。
【図４】面の取付内容の説明図である。
【図５】図１の面乳革に面紐を取付けるときの説明図である。
【図６】本発明の効果の説明図である。
【図７】（ａ）は第１実施形態に係る面乳革を示す正面図で、（ｂ）は平面図である。
【図８】図７の面乳革の取り扱いの説明図である。
【図９】面の取付内容の説明図である。
【図１０】従来の面乳革を示す正面図である。
【図１１】従来の面乳革の面への取付け例を示す図である。
【符号の説明】
【００３１】
１、１１    面乳革
２、１２    面乳革本体
３、１３    環状部
４    第１の長孔
５    第２の長孔
６    輪
１４    第３の長孔
１５    第４の長孔
２０    面
２１、２２    面金
【図１】
2008035939.tif 000003
【図２】
2008035939.tif 000004
【図３】
2008035939.tif 000005
【図４】
2008035939.tif 000006
【図５】
2008035939.tif 000007
【図６】
2008035939.tif 000008
【図７】
2008035939.tif 000009
【図８】
2008035939.tif 000010
【図９】
2008035939.tif 000011
【図１０】
2008035939.tif 000012
【図１１】
2008035939.tif 000013